(57)【特許請求の範囲】
【請求項１】
取付パネルに対し可動に設けられるフローティングコネクタであって、
前記取付パネルに矩形に開口された取付孔に遊嵌可能に形成された遊嵌手段と、該遊嵌手段が前記取付孔に遊嵌した状態で前記取付パネルの表面に当接可能に形成された当接手段と、前記取付パネルの裏面に当接可能に形成された複数の係止手段であって、それら複数の係止手段のうちの少なくともいずれかは前記矩形に開口された取付孔の長手方向における一方の縁部において前記取付パネルの裏面に平らな面にて当接可能とされている、前記複数の係止手段とを有し、前記当接手段と前記係止手段により前記取付パネルを挟装可能であり、前記係止手段の少なくとも１つは弾性手段に設けられ、且つ、前記当接手段の少なくとも１つは前記矩形に開口された取付孔の前記一方の縁部に対向する前記長手方向における他方の縁部において前記取付パネルの表面に平らな面にて当接可能な状態で前記弾性手段に設けられ、該弾性手段の弾性変形により前記当接手段と前記係止手段による前記取付パネルの挟装状態が解除可能となっており、
前記少なくとも１つの当接手段と前記少なくとも１つの係止手段の当接手段とによって、前記取付パネルを挟持することを特徴とするフローティングコネクタ。
【請求項２】
取付パネルに対し可動に設けられるフローティングコネクタであって、
相手側のコネクタと嵌合可能な形状を成すハウジングと、
該ハウジングの後部に形成され、前記取付パネルの表面に当接可能な当接面を有するフランジ部と、
前記取付パネルに矩形に開口された取付孔に遊嵌可能なように前記フランジ部に形成され、前記矩形に開口された取付孔の長手方向における一方の縁部において前記取付パネルの裏面に当接可能な当接面を有する一方の係止部と、
前記フランジ部の前記一方の係止部に対向する位置に形成され、該一方の係止部に近接する方向に弾性変形可能であると共に前記取付孔に遊嵌可能に形成された弾性腕部と、
該弾性腕部において前記一方の係止部に離反する方向に形成された他方の係止部と該弾性腕部において前記矩形に開口された取付孔の前記一方の縁部に対向する前記長手方向における他方の縁部において前記取付パネルの表面に平らな面にて当接可能な状態で形成された前記当接面の少なくとも１つとを備え、
前記フランジ部と前記一方及び他方の係止部により前記取付パネルを挟装可能であり、前記弾性腕部を弾性変形させることにより、前記フランジ部と前記一方及び他方の係止部による前記取付パネルの挟装状態が解除されるようになっており、
前記少なくとも１つの当接面と前記他方の係止部の当接面とによって、前記取付パネルを挟持することを特徴とするフローティングコネクタ。
【請求項３】
前記表面に当接可能な当接面と前記裏面に当接可能な当接面の少なくとも一方にボスを設け、該ボスが前記取付孔に遊嵌可能である請求項２に記載のフローティングコネクタ。
【請求項４】
前記裏面に当接可能な当接面に、階段状の段差部を設けた請求項２に記載のフローティングコネクタ。
【請求項５】
前記表面に当接可能な当接面に、前記取付孔に遊嵌可能な段差部を設けた請求項２に記載のフローティングコネクタ。
【請求項６】
前記弾性腕部の端部に摘み部が形成されており、該摘み部によって前記表面に当接可能な当接面が形成されている請求項２に記載のフローティングコネクタ。
【請求項７】
雄側コネクタと該雄側コネクタが嵌合可能な雌側コネクタとを備え、一方のコネクタが取付パネルに対し固定可能に設けられると共に他方のコネクタが取付パネルに対し可動に設けられるフローティングコネクタであるコネクタ装置において、
前記固定可能に設けられるコネクタは、前記取付パネルに矩形に開口された取付孔に嵌設可能に形成された嵌設手段と、該嵌設手段が前記取付孔に嵌設した状態で前記取付パネルの表面に当接可能に形成された当接手段と、該当接手段が前記取付パネルの表面に当接した状態で該取付パネルの裏面に当接可能に形成された複数の係止手段であって、それら複数の係止手段のうちの少なくともいずれかは前記矩形に開口された取付孔の長手方向における一方の縁部において前記取付パネルの裏面に平らな面にて当接可能とされている、前記複数の係止手段とを有し、前記当接手段と前記係止手段により前記取付パネルを挟持可能であり、前記係止手段の少なくとも１つは弾性手段に設けられ、且つ、前記当接手段の少なくとも１つは前記矩形に開口された取付孔の前記一方の縁部に対向する前記長手方向における他方の縁部において前記取付パネルの表面に平らな面にて当接可能な状態で前記弾性手段に設けられ、該弾性手段の弾性変形により前記当接手段と前記係止手段による前記取付パネルの挟持状態が解除可能となっており、
前記少なくとも１つの当接手段と前記少なくとも１つの係止手段の当接手段とによって、前記取付パネルを挟持することを特徴とする、フローティングコネクタを利用したコネクタ装置。
【請求項８】
雄側コネクタと該雄側コネクタが嵌合可能な雌側コネクタとを備え、一方のコネクタが取付パネルに対し固定可能に設けられると共に他方のコネクタが取付パネルに対し可動に設けられるフローティングコネクタであるコネクタ装置において、
前記固定可能に設けられるコネクタは、
相手側のコネクタと嵌合可能な形状を成すハウジングと、
該ハウジングの後部に形成され、前記取付パネルの表面に当接可能な当接面を有するフランジ部と、
前記取付パネルに矩形に開口された取付孔に嵌設可能なように前記フランジ部に形成され、前記矩形に開口された取付孔の長手方向における一方の縁部において前記取付パネルの裏面に当接可能な当接面を有する一方の係止部と、
前記フランジ部の前記一方の係止部に対向する位置に形成され、該一方の係止部に近接する方向に弾性変形可能であると共に前記取付孔に嵌設可能に形成された弾性腕部と、
該弾性腕部において前記一方の係止部に離反する方向に形成された他方の係止部と該弾性腕部において前記矩形に開口された取付孔の前記一方の縁部に対向する前記長手方向における他方の縁部において前記取付パネルの表面に平らな面にて当接可能な状態で形成された前記当接面の少なくとも１つとを備え、
前記フランジ部と前記一方及び他方の係止部により前記取付パネルを挟持可能であり、前記弾性腕部を弾性変形させることにより、前記フランジ部と前記一方及び他方の係止部による前記取付パネルの挟持状態が解除されるようになっており、
前記少なくとも１つの当接面と前記他方の係止部の当接面とによって、前記取付パネルを挟持することを特徴とする、フローティングコネクタを利用したコネクタ装置。
【請求項９】
前記裏面に当接可能な当接面に、階段状の段差部を設けた請求項８に記載のコネクタ装置。
【請求項１０】
前記表面に当接可能な当接面に、前記取付孔に遊嵌可能な段差部を設けた請求項８に記載のコネクタ装置。
【発明の詳細な説明】
【０００１】
【発明の属する技術分野】
本発明は、電気コネクタに関し、特に、取付パネルに対し可動に設けられたフローティングコネクタ及びこのフローティングコネクタを利用したコネクタ装置に関する。
【０００２】
【従来の技術】
一般に、複写機等の内部のスライド可能な装置間の接続に用いられるコネクタとして、フローティングコネクタが知られている。
【０００３】
フローティングコネクタは雄側コネクタと雌側コネクタとで対を成し、前記雄側コネクタは前記雌側コネクタに嵌合可能に形成されている。通常、いずれか一方のコネクタは取付パネルに対して可動に設けられ、前記雄側コネクタが前記雌側コネクタに嵌合する際の嵌合誤差を吸収できるようになっている。
【０００４】
図１９及び図２０により従来のフローティングコネクタの１例を説明する。図１９及び図２０はフローティングコネクタの雌側コネクタ１を示している。該雌側コネクタ１は取付パネル２に対向可能なフランジ部３を有し、該フランジ部３には所要数（図２０では２個）の丸孔４が穿設されている。該丸孔４には先端部にねじ部５を有する段付ビス６が遊嵌可能になっている。
【０００５】
前記雌側コネクタ１の前記取付パネル２への取付けは、前記フランジ部３を前記取付パネル２に対向させ、前記段付ビス６を前記丸孔４に遊嵌させ、前記取付パネル２に前記段付ビス６を締め付けることにより行う。そして、雄側コネクタ（図示せず）を前記雌側コネクタ１に嵌合する際の嵌合誤差は前記丸孔４と前記段付ビス６間の隙間の範囲内で前記雌側コネクタ１が動くことにより吸収される。
【０００６】
図２１及び図２２は他の従来例の雌側コネクタを示している。図２１及び図２２の雌側コネクタ７は取付パネル８に当接可能なフランジ部９を有し、該フランジ部９には所要数（図２１では２個）の丸孔１０が穿設されている。前記フランジ部９の前記取付パネル８との当接面１１に沿って前記丸孔１０の内面から該丸孔１０の中心方向放射状に所要数（図２１では３個）の弾性支持片１２が形成され、該弾性支持片１２はブッシュ１３を支持している。該ブッシュ１３は円筒状を成し、前記丸孔１０と同心に設けられ、前記ブッシュ１３は前記当接面１１側から前記取付パネル８側に所定長突出している。
【０００７】
前記雌側コネクタ７の前記取付パネル８への取付けは、前記ブッシュ１３を前記取付パネル８の取付孔１４に嵌合させ、前記フランジ部９の当接面１１を前記取付パネル８に当接させた後、前記ブッシュ１３に取付けボルト（図示せず）を貫通させ、該取付ボルトを締め付けることにより行う。そして、雄側コネクタ（図示せず）を前記雌側コネクタ７に嵌合する際の嵌合誤差は、前記弾性支持片１２の弾性変形の範囲内で前記雌側コネクタ７が動くことにより吸収される。
【０００８】
【発明が解決しようとする課題】
ところが、従来のフローティングコネクタは、段付ビス、ボルト等の取付金具が必要な分、部品点数が多く、また、ビス止め工程が不可欠であるため、工具を要し着脱作業に手間が掛かっていた。そのため、製造コストの低減化が図り難く、また、保守管理に手間が掛かるといった問題が生じていた。
【０００９】
また、後者の従来のフローティングコネクタは、嵌合誤差を弾性支持片の弾性変形範囲内で吸収しているので、嵌合誤差が極小さい場合にのみ使用可能であり、嵌合誤差がその弾性変形範囲を超えた場合には、弾性支持片が破損するおそれがあるといった問題があった。
【００１０】
本発明は斯かる課題を解決すべく、嵌合誤差に適応した可動量を確保可能であると共に、取付パネルへの着脱が容易なフローティングコネクタを提供するものである。
【００１１】
【課題を解決するための手段】
本発明は、取付パネルに対し可動に設けられるフローティングコネクタであって；前記取付パネルに矩形に開口された取付孔に遊嵌可能に形成された遊嵌手段と、該遊嵌手段が前記取付孔に遊嵌した状態で前記取付パネルの表面に当接可能に形成された当接手段と、前記取付パネルの裏面に当接可能に形成された複数の係止手段であって、それら複数の係止手段のうちの少なくともいずれかは前記矩形に開口された取付孔の長手方向における一方の縁部において前記取付パネルの裏面に平らな面にて当接可能とされている、前記複数の係止手段とを有し、前記当接手段と前記係止手段により前記取付パネルを挟装可能であり、前記係止手段の少なくとも１つは弾性手段に設けられ、且つ、前記当接手段の少なくとも１つは前記矩形に開口された取付孔の前記一方の縁部に対向する前記長手方向における他方の縁部において前記取付パネルの表面に平らな面にて当接可能な状態で前記弾性手段に設けられ、該弾性手段の弾性変形により前記当接手段と前記係止手段による前記取付パネルの挟装状態が解除可能となっており；前記少なくとも１つの当接手段と前記少なくとも１つの係止手段の当接手段とによって、前記取付パネルを挟持することを特徴とするものである。
【００１２】
また、本発明は、取付パネルに対し可動に設けられるフローティングコネクタであって；相手側のコネクタと嵌合可能な形状を成すハウジングと；該ハウジングの後部に形成され、前記取付パネルの表面に当接可能な当接面を有するフランジ部と；前記取付パネルに矩形に開口された取付孔に遊嵌可能なように前記フランジ部に形成され、前記矩形に開口された取付孔の長手方向における一方の縁部において前記取付パネルの裏面に当接可能な当接面を有する一方の係止部と；前記フランジ部の前記一方の係止部に対向する位置に形成され、該一方の係止部に近接する方向に弾性変形可能であると共に前記取付孔に遊嵌可能に形成された弾性腕部と；該弾性腕部において前記一方の係止部に離反する方向に形成された他方の係止部と該弾性腕部において前記矩形に開口された取付孔の前記一方の縁部に対向する前記長手方向における他方の縁部において前記取付パネルの表面に平らな面にて当接可能な状態で形成された前記当接面の少なくとも１つとを備え；前記フランジ部と前記一方及び他方の係止部により前記取付パネルを挟装可能であり、前記弾性腕部を弾性変形させることにより、前記フランジ部と前記一方及び他方の係止部による前記取付パネルの挟装状態が解除されるようになっており、
前記少なくとも１つの当接面と前記他方の係止部の当接面とによって、前記取付パネルを挟持することを特徴とする。
【００１３】
上記装置において、前記表面に当接可能な当接面（５２）と前記裏面に当接可能な当接面（４８）の少なくとも一方にボス（４９、５３）を設け、該ボス（４９、５３）が前記取付孔（５７）に遊嵌可能であってもよい。
また、前記裏面に当接可能な当接面（９４）に、階段状の段差部（９５）を設けてもよいし、前記表面に当接可能な当接面（４４）に、前記取付孔（５７）に遊嵌可能な段差部（４５）を設けてもよい。
更に、前記弾性腕部（２７、７７）の端部に摘み部（５１、９９）が形成されており、該摘み部（５１、９９）によって前記表面に当接可能な当接面（５２、１００）が形成されていてもよい。
【００１４】
また、本発明は、雄側コネクタと該雄側コネクタが嵌合可能な雌側コネクタとを備え、一方のコネクタが取付パネルに対し固定可能に設けられると共に他方のコネクタが取付パネルに対し可動に設けられるフローティングコネクタであるコネクタ装置において；前記固定可能に設けられるコネクタは、前記取付パネルに矩形に開口された取付孔に嵌設可能に形成された嵌設手段と、該嵌設手段が前記取付孔に嵌設した状態で前記取付パネルの表面に当接可能に形成された当接手段と、該当接手段が前記取付パネルの表面に当接した状態で該取付パネルの裏面に当接可能に形成された複数の係止手段であって、それら複数の係止手段のうちの少なくともいずれかは前記矩形に開口された取付孔の長手方向における一方の縁部において前記取付パネルの裏面に平らな面にて当接可能とされている、前記複数の係止手段とを有し、前記当接手段と前記係止手段により前記取付パネルを挟持可能であり、前記係止手段の少なくとも１つは弾性手段に設けられ、且つ、前記当接手段の少なくとも１つは前記矩形に開口された取付孔の前記一方の縁部に対向する前記長手方向における他方の縁部において前記取付パネルの表面に平らな面にて当接可能な状態で前記弾性手段に設けられ、該弾性手段の弾性変形により前記当接手段と前記係止手段による前記取付パネルの挟持状態が解除可能となっており；前記少なくとも１つの当接手段と前記少なくとも１つの係止手段の当接手段とによって、前記取付パネルを挟持することを特徴とする、フローティングコネクタを利用したコネクタ装置に関するものである。
【００１５】
また、本発明は、雄側コネクタと該雄側コネクタが嵌合可能な雌側コネクタとを備え、一方のコネクタが取付パネルに対し固定可能に設けられると共に他方のコネクタが取付パネルに対し可動に設けられるフローティングコネクタであるコネクタ装置において；前記固定可能に設けられるコネクタは；相手側のコネクタと嵌合可能な形状を成すハウジングと；該ハウジングの後部に形成され、前記取付パネルの表面に当接可能な当接面を有するフランジ部と；前記取付パネルに矩形に開口された取付孔に嵌設可能なように前記フランジ部に形成され、前記矩形に開口された取付孔の長手方向における一方の縁部において前記取付パネルの裏面に当接可能な当接面を有する一方の係止部と；前記フランジ部の前記一方の係止部に対向する位置に形成され、該一方の係止部に近接する方向に弾性変形可能であると共に前記取付孔に嵌設可能に形成された弾性腕部と；該弾性腕部において前記一方の係止部に離反する方向に形成された他方の係止部と該弾性腕部において前記矩形に開口された取付孔の前記一方の縁部に対向する前記長手方向における他方の縁部において前記取付パネルの表面に平らな面にて当接可能な状態で形成された前記当接面の少なくとも１つとを備え；前記フランジ部と前記一方及び他方の係止部により前記取付パネルを挟持可能であり、前記弾性腕部を弾性変形させることにより、前記フランジ部と前記一方及び他方の係止部による前記取付パネルの挟持状態が解除されるようになっており；前記少なくとも１つの当接面と前記他方の係止部の当接面とによって、前記取付パネルを挟持することを特徴とする、フローティングコネクタを利用したコネクタ装置に関するものである。
【００１６】
上記装置において、前記裏面に当接可能な当接面（９４）に、階段状の段差部（９５）を設けてもよい。
【００１７】
上記装置において、前記表面に当接可能な当接面（４４）に、前記取付孔（５７）に遊嵌可能な段差部（４５）を設けてもよい。
【００１８】
【発明の実施の形態】
以下、図面を参照しつつ本発明の実施の形態を説明する。
【００１９】
先ず、図１から図５を参照しつつ、雌側コネクタについて説明する。雌側コネクタ２１は、電源端子用ハウジング２２と、該電源端子用ハウジング２２に隣接する信号端子用ハウジング２３と、前記各ハウジング２２，２３の後方端部に形成されたフランジ部２４と、該フランジ部２４から後方に突出する案内部２５と、前記フランジ部２４の互いに対向する位置に設けられた第１係止部２６及び弾性腕部２７と、該弾性腕部２７に設けられた第２係止部２８とを備えている。
【００２０】
前記電源端子用ハウジング２２は角筒状の外周壁部２９と、該外周壁部２９の内部に形成された電源端子保持部３０とから構成され、前記外周壁部２９と前記電源端子保持部３０との間に角筒状の空間３１が形成されている。前記外周壁部２９の前方周端部３２内側はテーパ状を成し、また、前記電源端子保持部３０は所要数、例えば４本の電源端子３３を保持可能に形成されている。
【００２１】
前記信号端子用ハウジング２３は角筒状の外周壁部３４と、該外周壁部３４の内部に形成された信号端子保持部３５とから構成され、前記外周壁部３４と前記信号端子保持部３５との間に角筒状の空間３６が形成されている。好ましくは、前記外周壁部３４の前後方向の長さは前記電源端子用ハウジング２２の外周壁部２９より短く、前記外周壁部３４の前方周端部内側はテーパ状を成している。また、前記信号端子保持部３５は所要数、例えば１０本の信号端子３７を保持している。
【００２２】
前記フランジ部２４の前記電源端子用ハウジング２２側には電源ケーブル接続口３８が開口され、該電源ケーブル接続口３８に対応して前記案内部２５が形成されている。該案内部２５の外周壁の互いに対向する位置に所要数（図３では２個）のリブ突起６８が形成され、該リブ突起６８の後端部はテーパ状を成している。前記案内部２５には後方から電源ケーブル３９が挿通し、該電源ケーブル３９先端の前記電源端子３３は前記電源端子保持部３０に保持されるようになっている。また、前記フランジ部２４の前記信号端子用ハウジング２３側には信号ケーブル接続口４０が開口され、該信号ケーブル接続口４０内で前記各信号端子３７の後方端部４１に信号ケーブル４２が接続されるようになっている。
【００２３】
また、前記フランジ部２４の後面側には取付パネル４３の表面に当接可能な当接面４４が形成されている。好ましくは、該当接面４４には所定寸法、例えば０．２ｍｍ隆起した段差部４５が形成され、該段差部４５は、例えば、前記電源ケーブル接続口３８と前記信号ケーブル接続口４０の間において前記フランジ部２４の後面を横断している。
【００２４】
前記第１係止部２６は前記フランジ部２４の後面側の一端部に形成され、前記当接面４４から後方に所定長延出した延出部４６と該延出部４６から９０度外側に屈曲した当接部４７とを備えている。前記延出部４６の外面にはリブ突起６９が所要数（図２では２個）形成され、該リブ突起６９の前端部はテーパ状を成している。前記当接部４７前面側は前記取付パネル４３の裏面に当接可能な当接面４８を形成し、前記段差部４５と前記当接面４８の前後方向の離隔距離は前記取付パネル４３の厚みよりも僅かに大きく、例えば、０．３ｍｍ大きくして１．３ｍｍとなっている。さらに、前記当接面４４と前記当接面４８の前後方向の離隔距離は別の取付パネル４３’の厚みよりも僅かに大きく、例えば、０．３ｍｍ大きくして１．５ｍｍとなっている。また、前記当接面４８には第１ボス４９が突出されているのが好ましい。
【００２５】
前記弾性腕部２７は前記フランジ部２４の後面側の前記第１係止部２６に対向する端部に形成され、前記当接面４４から後方に延出後、前方に折返された板バネ状の弾性変形部５０と該弾性変形部５０から外側に屈曲した摘み部５１とを備えている。該摘み部５１の後面側は前記取付パネル４３に当接可能な当接面５２を形成し、好ましくは、該当接面５２に第２ボス５３が突出されている。
【００２６】
前記第２係止部２８は前記弾性変形部５０の前方折返し部５４に形成され、前記第１係止部２６に対し離反する方向に延出している。前記第２係止部２８前面側は前記取付パネル４３の裏面に当接可能な当接面５５を形成し、前記第１係止部２６と同様に、前記段差部４５と前記当接面５５の前後方向の離隔距離は前記取付パネル４３の厚みより僅かに大きく、前記当接面４４と前記当接面５５の前後方向の離隔距離は前記取付パネル４３’の厚みより僅かに大きくなっている。また、前記第２係止部２８には後方内側に傾斜したテーパ面５６が形成されている。
【００２７】
図６により前記取付パネル４３について説明する。該取付パネル４３には取付孔５７が穿設され、該取付孔５７は前記第１係止部２６の延出部４６が遊嵌可能な第１係止部用開口部５８と、前記第１ボス４９が遊嵌可能な第１ボス用開口部５９と、前記案内部２５が遊嵌可能な案内部用開口部６０と、前記弾性腕部２７の弾性変形部５０が遊嵌可能な弾性腕部用開口部６１と、前記第２ボス５３が遊嵌可能な第２ボス用開口部６２とを有している。また、前記取付パネル４３の前記案内部用開口部６０に沿う縁部はそれぞれ互いに近接する方向に延出し、フランジ受部６３を形成し、該フランジ受部６３に前記フランジ部２４の段差部４５が当接可能となっている。
【００２８】
図７は前記取付パネル４３より厚い前記取付パネル４３'を示しており、該取付パネル４３’には取付孔５７’が穿設されている。該取付孔５７’は前記各フランジ受部６３が切欠部６４によりそれぞれ第１フランジ受部６５と第２フランジ受部６６に分割されている以外は前記取付孔５７と同様に形成されている。前記各切欠部６４は互いに対向する位置に形成され、該切欠部６４に前記段差部４５が遊嵌し、前記第１フランジ受部６５、第２フランジ受部６６に前記フランジ部２４の当接面４４が当接するようになっている。
【００２９】
以下、前記雌側コネクタ２１を前記取付パネル４３に取付ける手順を説明する。
【００３０】
前記取付パネル４３の表面側から前記第１係止部２６を前記第１係止部用開口部５８に斜めに挿入遊嵌し、前記第１ボス４９を前記第１ボス用開口部５９に遊嵌する。前記案内部２５を前記案内部用開口部６０に遊嵌すると共に前記弾性変形部５０を前記弾性腕部用開口部６１に遊嵌すると、前記取付パネル４３の縁部６７は前記テーパ面５６に当接する。前記取付パネル４３に対して前記雌側コネクタ２１を押込むと、前記縁部６７が前記テーパ面５６を押圧することにより、前記弾性腕部２７の前記弾性変形部５０は前記第１係止部２６に近接する方向に弾性変形し、前記第２ボス５３は前記第２ボス用開口部６２に遊嵌する。この場合、前記リブ突起６８の後端部及び前記リブ突起６９の前端部はそれぞれテーパ状を成しているので、前記雌側コネクタ２１を前記取付パネル４３に円滑且つ容易に取付けることができる。そして、前記フランジ部２４の段差部４５は前記取付パネル４３のフランジ受部６３の表面側に当接し、前記第１係止部２６の当接面４８及び前記第２係止部２８の当接面５５はそれぞれ前記取付パネル４３の裏面側に当接可能な状態となる。したがって、図８に示されているように、前記取付パネル４３は前記段差部４５及び前記各当接面４８，５５により挟装された状態となるので、前記雌側コネクタ２１の前倒を防ぎ、該雌側コネクタ２１は前記取付パネル４３面に沿って円滑に摺動可能となる。また、前記第１ボス４９の動きが前記第１ボス用開口部５９により拘束されると共に前記第２ボス５３の動きが前記第２ボス用開口部６２により拘束されるので、前記取付パネル４３面に沿った前記雌側コネクタ２１の傾動は抑制される。本実施例においては、２つの係止部の内の一方を弾性的に設けたので、弾性を有さない他方の係止部を基準位置として寸法設定できるので、寸法公差設計上有利である。
【００３１】
また、前記雌側コネクタ２１を前記取付パネル４３'に取付けるには、前記取付パネル４３に取付ける場合と同様の手順で行われる。この場合、前記段差部４５は前記切欠部６４に遊嵌し、前記フランジ部２４の前記当接面４４は前記第１フランジ受部６５及び第２フランジ受部６６の表面側に当接し、前記弾性腕部２７の当接面５２は前記取付パネル４３の表面側に当接し、また、前記各当接面４８，５５はそれぞれ前記取付パネル４３の裏面側に当接する。したがって、図９に示されているように、前記取付パネル４３'は前記各当接面４４，５２及び前記各当接面４８，５５により挟装された状態となるので、前記雌側コネクタ２１の前倒を防ぎ、該雌側コネクタ２１は前記取付パネル４３’面に沿って円滑に摺動可能となる。
【００３２】
次に、図１１から図１５を参照しつつ、雄側コネクタについて説明する。雄側コネクタ７１は、電源端子用ハウジング７２と、該電源端子用ハウジング７２に所定の間隔を置いて並設された信号端子用ハウジング７３と、前記各ハウジング７２，７３の後方端部に形成されたフランジ部７４と、該フランジ部７４から後方に突出する案内部７５と、前記フランジ部７４の互いに対向する位置に設けられた第１係止部７６及び弾性腕部７７と、該弾性腕部７７に設けられた第２係止部７８とを備えている。
【００３３】
前記電源端子用ハウジング７２は前記電源端子用ハウジング２２の前記空間３１に嵌合可能な角筒状の外周壁部７９と、該外周壁部７９の内部に形成された電源端子保持部８０とから構成されている。前記外周壁部７９の前方周端部外側はテーパ状を成し、また、前記電源端子保持部８０は所要数、例えば４本の電源端子８１を保持可能に形成されている。
【００３４】
前記信号端子用ハウジング７３は前記電源端子用ハウジング２３の前記空間３６に嵌合可能な角筒状の外周壁部８２と、該外周壁部８２の内部に形成された信号端子保持部８３とから構成されている。好ましくは、前記外周壁部８２の前後方向の長さは前記電源端子用ハウジング７２の外周壁部７９より短く、前記外周壁部８２の前方周端部外側はテーパ状を成している。また、前記信号端子保持部８３は所要数、例えば１０本の信号端子８４を保持している。
【００３５】
前記案内部７５の外周壁の互いに対向する位置に所要数（図１３では４個）のリブ突起１１１が形成され、該リブ突起１１１の後端部はテーパ状を成している。前記案内部７５の前記電源端子用ハウジング７２側からは電源ケーブル接続口８５が開口されていると共に前記信号端子用ハウジング２３側からは信号ケーブル接続口８６が開口されている。前記電源ケーブル接続口８５の後方より電源ケーブル８７が挿通し、該電源ケーブル８７先端の前記電源端子８１は前記電源端子保持部８０に保持されるようになっている。また、前記信号ケーブル接続口８６内で前記各信号端子８４の後方端部８８に信号ケーブル８９が接続されるようになっている。
【００３６】
また、前記案内部７５の周囲の前記フランジ部７４後面側には取付パネル９０に当接可能な当接面９１が形成されている。
【００３７】
前記第１係止部７６は前記フランジ部７４の後面側の一端部に形成され、前記当接面９１から後方に所定長延出した延出部９２と該延出部９２から９０度外側に屈曲した当接部９３とを備えている。前記延出部９２の外面にはリブ突起１１２が所要数（図１２では２個）形成され、該リブ突起１１２の前端部はテーパ状を成している。前記当接部９３の前面側は前記取付パネル９０の裏面に当接可能な当接面９４を形成し、該当接面９４には所要段（図１１では２段）の階段状の段差部９５が形成され、該段差部９５には最も前方に突出した第１当接面９６と第１当接面９６より僅かに、例えば０．２ｍｍ後退した第２当接面９７とが形成されている。前記第１当接面９６と前記フランジ部７４の当接面９１の前後方向の離隔距離は前記取付パネル９０の厚みにほぼ等しくなっており、また、前記第２当接面９７と前記当接面９１の前後方向の離隔距離は別の取付パネル９０’の厚みにほぼ等しくなっている。さらに、前記当接面９４と前記当接面９１の前後方向の離隔距離はさらに別の取付パネル９０"の厚みに等しくなっている。
【００３８】
前記弾性腕部７７は前記フランジ部７４の後面側の前記第１係止部７６に対向する端部に形成され、前記当接面９１から後方に延出後、前方に折返された板バネ状の弾性変形部９８と該弾性変形部９８から外側に屈曲した摘み部９９とを備えている。該摘み部９９の後面側は前記取付パネル９０に当接可能な当接面１００を形成している。
【００３９】
前記第２係止部７８は前記弾性変形部９８の前方折返し部１０１に形成され、前記第１係止部７６に対し離反する方向に延出している。前記第２係止部７８前面側は前記取付パネル９０の裏面に当接可能な当接面１０２を形成し、該当接面１０２には前記段差部９５と同一形状の段差部１０３が形成され、前記段差部１０３には前方に突出している順にそれぞれ第１当接面１０４、第２当接面１０５が形成されている。前記第１当接面１０４と前記フランジ部７４の当接面９１の前後方向の離隔距離は前記取付パネル９０の厚みに等しく、前記第２当接面１０５と前記当接面９１の前後方向の離隔距離は前記取付パネル９０’の厚みに等しく、さらに、前記当接面１０２と前記当接面９１の前後方向の離隔距離は前記取付パネル９０”の厚みに等しくなっている。また、前記第２係止部７８には後方内側に傾斜したテーパ面１０６が形成されている。
【００４０】
図１６は前記取付パネル９０を示しており、該取付パネル９０には矩形の取付孔１０７が穿設され、該取付孔１０７にはそれぞれ前記第１係止部７６の延出部９２、前記案内部７５及び前記弾性腕部７７の弾性変形部９８が嵌設可能になっている。
【００４１】
また、図１７は前記取付パネル９０'を示しており、該取付パネル９０’には取付孔１０７’が穿設されている。該取付孔１０７’は切欠部１０８が形成されている以外は前記取付孔１０７と同様に形成されている。前記切欠部１０８は前記取付パネル９０’の互いに対向する縁部に形成され、該切欠部１０８に前記各段差部９５，１０３の第１当接面９６，１０４が嵌設可能となっている。
【００４２】
さらに、図１８は前記取付パネル９０’よりも更に厚い前記取付パネル９０”を示しており、該取付パネル９０”には取付孔１０７”が穿設されている。該取付孔１０７”は前記切欠部１０８より大き目の切欠部１０８’が形成されている以外は前記取付孔１０７’と同様の形状を成し、前記切欠部１０８’に前記各段差部９５，１０３が嵌設可能となっている。
【００４３】
以下、前記雄側コネクタ７１を前記取付パネル９０に取付ける手順を説明する。
【００４４】
前記取付パネル９０の表面側から前記第１係止部７６の前記延出部９２を前記取付孔１０７に斜めに挿入嵌設し、前記延出部９２を前記取付パネル９０の一方の縁部１０９に当接させた状態で、該一方の縁部１０９に対向する他方の縁部１１０を前記テーパ面１０６に当接する。前記取付パネル９０に対して前記雄側コネクタ７１を押込むと、前記他方の縁部１１０が前記テーパ面１０６を押圧することにより、前記弾性腕部７７の前記弾性変形部９８は前記第１係止部７６に近接する方向に弾性変形し、前記案内部７５及び前記弾性変形部９８は前記取付孔１０７に嵌設する。この場合、前記リブ突起１１１の後端部及び前記リブ突起１１２の前端部はそれぞれテーパ状を成しているので、前記雄側コネクタ７１を前記取付パネル９０に円滑且つ容易に取付けることができる。そして、前記フランジ部７４の当接面９１及び前記摘み部９９の当接面１００は前記取付パネル９０の表面側に当接し、前記第１係止部７６の第１当接面９６及び前記第２係止部７８の第１当接面１０４はそれぞれ前記取付パネル９０の裏面側に当接し、前記取付パネル９０は前記各当接面９１，１００と前記各第１当接面９６，１０４により挟持された状態となる。これにより、前記雄側コネクタ７１の前倒が防止される。また、前記雄型コネクタ７１は、長手方向の動きを前記弾性腕部７７の反発力により拘束され、短手方向の動きを前記取付孔１０７により拘束されるので、前記取付パネル９０に固定された状態となる。前記雄側コネクタ７１の前記取付パネル９０への取付状態は前記リブ突起１１１，１１２の突出量により調整可能であり、該リブ突起１１１，１１２は小さく、成形時の反り等の影響を受けたとしても容易に修正可能なので、該雄側コネクタ７１を取付パネルに精度良く堅固に取付けることが可能となる。
【００４５】
また、前記雄側コネクタ７１を前記取付パネル９０'に取付けるには、前記取付パネル９０に取付ける場合と同様の手順で行われる。この場合、前記第１当接面９６，１０４はそれぞれは前記切欠部１０８に嵌設し、前記フランジ部７４の当接面９１及び前記摘み部９９の当接面１００は前記取付パネル９０’の表面側に当接し、前記各第２当接面９７，１０５はそれぞれ前記取付パネル９０’の裏面側に当接する。したがって、前記取付パネル９０'は前記各当接面９１，９９及び前記各第２当接面９７，１０５により挟持された状態となる。この場合も、前記雄側コネクタ７１の前倒が防止され、また、前記雄型コネクタ７１は、長手方向の動きを前記弾性腕部７７の反発力により拘束され、短手方向の動きを前記取付孔１０７’により拘束されるので、前記取付パネル９０’に固定された状態となる。なお、前記雄側コネクタ７１を前記取付パネル９０”に取付ける手順及びその作用は前記取付パネル９０’に取付ける場合と同様であるので説明は省略する。
【００４６】
上記したように、前記段差部９５を設けることにより、前記取付パネル９０，９０’，９０”の厚みに対応させて前記フランジ部７４の当接面９１との前後方向の離隔距離を最適に選択できるので、前記雄側コネクタ７１の前倒が防止され、前記雄側コネクタ７１を前記各取付パネル９０，９０’、９０”にしっかりと固定することができる。
【００４７】
前述した手順により、前記各取付パネル４３又は４３’及び９０又は９０’又は９０”にそれぞれ取付けた雌側コネクタ２１と雄側コネクタ７１を接続するには、両方の前記コネクタ２１，７１を対向させ、例えば、前記雄側コネクタ７１を前記雌側コネクタ２１に近接させていく。最初に、前記雄側コネクタ７１の電源端子用ハウジング７２が前記雌側コネクタ２１の電源端子用ハウジング２２に嵌合し始め、その後、前記雄側コネクタ７１の信号端子用ハウジング７３が前記雌側コネクタ２１の信号端子用ハウジング２３に嵌合する。この時、前述したように、前記雌側コネクタ２１の段差部４５、前記雄側コネクタ７１の段差部９５，１０３により前倒が抑制、防止され、また、前記第１ボス４９及び前記第２ボス５３により前記取付パネル４３面に沿った前記雌側コネクタ２１の傾動が抑制されると共に、各ハウジング２２，２３，７２，７３の前方周端部がテーパ状に形成されているので、前記コネクタ２１，７１の嵌合時に該コネクタ２１，７１の各前端部同士が衝突し嵌合動作を妨げるおそれがなく、該嵌合動作は円滑に行われる。
【００４８】
前記各ハウジング２２と７２、２３と７３の間に生じた嵌合誤差は前記雌側コネクタ２１が前記取付パネル４３又は４３’に沿って摺動することにより吸収される。嵌合誤差の吸収量は前記雌側コネクタ２１と該雌側コネクタ２１が遊嵌する前記取付孔５７，５７’との隙間により調整できる。その隙間の調整は前記リブ突起６８，６９の突出量を変えることにより可能であり、該リブ突起６８，６９は小さく、成形時の反り等の影響を受けたとしても容易に修正可能なので、該雌側コネクタ２１の可動量を正確且つ容易に規定することが可能となる。
【００４９】
また、前記各ハウジング２２と７２、２３と７３の嵌合時の衝撃により、前記各雌側コネクタ２１と前記雄側コネクタ７１に対してそれぞれ後方側へ押圧力が作用するが、前記フランジ部２４，７４が前記取付パネル４３又は４３’及び９０又は９０’又は９０”に当接可能に形成されているので、前記押圧力に十分耐えることができる。したがって、前記各ハウジング２２と７２、２３と７３の嵌合時に、前記コネクタ２１又は７１が前記取付パネル４３，４３’，９０，９０’，９０”から脱落することはない。そして、前記各ハウジング２２と７２、２３と７３がそれぞれ嵌合すると、前記電源端子３３と８１及び前記信号端子３７と８４は電気的に接続された状態となる。
【００５０】
なお、上記実施の形態においては、雌側コネクタ及び雄側コネクタ共に電源端子用と信号端子用の両方のハウジングを備えているが、信号端子用ハウジング２３，７３だけを備えている場合、又は、電源端子用ハウジングだけを備えている場合にも実施可能であることは言うまでもない。また、ハウジングの形状を円筒状にすること、係止部の双方ともに弾性腕部に設けること、さらに、弾性腕部が他方の係止部に対して離反する方向に変形することでコネクタの取付パネルへの取付状態を解除するように構成することも可能であることは言うまでもない。
【００５１】
また、前記雌側コネクタ２１では、２種類の厚みの前記取付パネル４３，４３’に使用可能なように前記段差部４５が形成されているが、複数の段差部を形成させて、３種類以上の厚みの取付パネルに対しても使用可能なように形成させてもよい。同様に、前記雄側コネクタ７１を４種類以上の厚みの取付パネルに対しても使用可能なように形成させてもよい。
【００５２】
さらに、上記実施の形態においては、取付パネルに対して前記雌側コネクタ２１を可動とし、前記雄側コネクタ７１を固定しているが、両方のコネクタを可動としたり、或いは、雄側コネクタを可動とし、雌側コネクタを固定してもよい。
【００５３】
【発明の効果】
以上述べた如く本発明によれば、可動に設けられたコネクタと該コネクタが遊嵌する取付孔との隙間を調整することにより、嵌合誤差の吸収量が調整できるので、雄側コネクタと雌側コネクタの嵌合時に生じる嵌合誤差に応じて可動量を容易に変えることが可能となる。
【００５４】
また、コネクタは取付パネルを挟装又は挟持するように取付けられるので、前倒することがなく、前記取付パネル面に沿って円滑に動くことができる。
【００５５】
さらに、取付パネルに対するコネクタの取付けにビス等の取付金具を必要としないので、取付パネルへの着脱が容易となる。
【００５６】
さらにまた、段差部を設けたことにより、厚みの異なる取付パネルに対して１つのコネクタで対応できるので、製作コストの低減を図ることができる。また、取付パネルの厚みに対応させて前後方向の離隔距離を最適に選択できるので、コネクタの前倒を防げる等種々の優れた効果を発揮する。
【図面の簡単な説明】
【図１】本発明の実施の形態に係る雌側コネクタの側面図である。
【図２】本発明の実施の形態に係る雌側コネクタの平面図である。
【図３】本発明の実施の形態に係る雌側コネクタの底面図である。
【図４】図３のＡ−Ａ断面図である。
【図５】図３のＢ−Ｂ断面図である。
【図６】本発明の実施の形態に係る雌側コネクタ用の取付孔の形状を示す平面図である。
【図７】本発明の実施の形態に係る雌側コネクタ用の取付孔の形状を示す平面図である。
【図８】本発明の実施の形態に係る雌側コネクタを取付パネルに取付けた状態を示す側面図である。
【図９】本発明の実施の形態に係る雌側コネクタを別の取付けパネルに取付ける手順を示す斜視図である。
【図１０】本発明の実施の形態に係る雌側コネクタを別の取付パネルに取付けた状態を示す側面図である。
【図１１】本発明の実施の形態に係る雄側コネクタの側面図である。
【図１２】本発明の実施の形態に係る雄側コネクタの平面図である。
【図１３】本発明の実施の形態に係る雄側コネクタの底面図である。
【図１４】図１２のＣ−Ｃ断面図である。
【図１５】図１２のＤ−Ｄ断面図である。
【図１６】本発明の実施の形態に係る雄側コネクタ用の取付孔の形状を示す平面図である。
【図１７】本発明の実施の形態に係る雄側コネクタ用の取付孔の形状を示す平面図である。
【図１８】本発明の実施の形態に係る雄側コネクタ用の取付孔の形状を示す平面図である。
【図１９】従来例の平面図である。
【図２０】従来例の側面図である。
【図２１】他の従来例の平面図である。
【図２２】他の従来例の側面図である。
【符号の説明】
２１          雌側コネクタ
２２          電源端子用ハウジング
２３          信号端子用ハウジング
２４          フランジ部
２６          第１係止部
２７          弾性腕部
２８          第２係止部
４３          取付パネル
４４          当接面
４５          段差部
４８          当接面
４９          第１ボス
５２          当接面
５３          第２ボス
５５          当接面
５７          取付孔
７１          雄側コネクタ
７２          電源端子用ハウジング
７３          信号端子用ハウジング
７４          フランジ部
７６          第１係止部
７７          弾性腕部
７８          第２係止部
９０          取付パネル
９１          当接面
９５          段差部
９６          第１当接面
９７          第２当接面
１００        当接面
１０２        当接面
１０３        段差部
１０４        第１当接面
１０５        第２当接面
１０７        取付孔
【図１】
0003866893.tif 000002
【図２】
0003866893.tif 000003
【図３】
0003866893.tif 000004
【図４】
0003866893.tif 000005
【図５】
0003866893.tif 000006
【図６】
0003866893.tif 000007
【図７】
0003866893.tif 000008
【図８】
0003866893.tif 000009
【図９】
0003866893.tif 000010
【図１０】
0003866893.tif 000011
【図１１】
0003866893.tif 000012
【図１２】
0003866893.tif 000013
【図１３】
0003866893.tif 000014
【図１４】
0003866893.tif 000015
【図１５】
0003866893.tif 000016
【図１６】
0003866893.tif 000017
【図１７】
0003866893.tif 000018
【図１８】
0003866893.tif 000019
【図１９】
0003866893.tif 000020
【図２０】
0003866893.tif 000021
【図２１】
0003866893.tif 000022
【図２２】
0003866893.tif 000023